(57)【特許請求の範囲】
【請求項１】
筐体内に設けられ画像情報に基づいて所定の画像を用紙に形成する画像形成手段と、
この画像形成手段に上記用紙を供給する用紙供給手段と、
上記筐体に設けられ上記画像が形成された用紙を排出する通常排出口と、
上記筐体に設けられ、駆動用の電池を着脱可能なようになされた電池装着手段と、
上記筐体に設けられ上記用紙を強制排出するように形成され、上記電池装着手段に電池が装着されたときは、少なくとも一部が該装着された電池で遮蔽されるような位置に形成された強制排出口を設けたことを特徴とするプリンタ装置。
【請求項２】
上記強制排出口には、前記用紙の端部が前記用紙を摘出可能に露出するように形成された凹部が形成されていることを特徴とする請求項１に記載のプリンタ装置。
【請求項３】
前記用紙供給手段は上記筐体の前面に設けられ、
前記電池装着手段は該筐体の背面に設けられてなることを特徴とする請求項１に記載のプリンタ装置。
【発明の詳細な説明】
【０００１】
【発明の属する技術分野】
本発明は、携帯型のプリンタ装置に関し、特にトラブルが生じた場合にプリント用紙を容易に取り出せるものに関する。
【０００２】
【従来の技術】
携帯型のプリンタ装置は、通常大きく分けてプリント用紙を供給する用紙供給部と、プリント用紙に印刷する印刷部と、これらを駆動する電池を収納する電池収納部とから構成されている。また、印刷部で画像を印刷された用紙は、排出口からプリンタ装置の外部に排出される。
【０００３】
【発明が解決しようとする課題】
上記した従来の携帯型のプリンタ装置では、次のような問題があった。すなわち、印刷中に不具合が発生し、プリント用紙が通常の排出口から送り出されなくなる場合があった。このため、通常の排出口とは別にプリント用紙を強制的に排出することができる強制排出口を設けたものがあった。
【０００４】
しかしながら、携帯型のプリンタ装置では、プリンタ本体が小さいため、新たに強制排出口のスペースを確保しようとすると、装置が大形化するという問題があった。
【０００５】
そこで本発明は、装置を大形化することなく、印刷中に不具合が発生し、用紙を通常の排出口から取り出せなくなった場合に容易に用紙を取り出すことが可能なプリンタ装置を提供することを目的としている。
【０００６】
【課題を解決するための手段】
上記課題を解決し目的を達成するために、本発明のプリンタ装置は次のように構成されている。
【０００７】
（１）筐体内に設けられ画像情報に基づいて所定の画像を用紙に形成する画像形成手段と、この画像形成手段に上記用紙を供給する用紙供給手段と、上記筐体に設けられ上記画像が形成された用紙を排出する通常排出口と、上記筐体に設けられ、工藤陽の電池を着脱可能なようになされた電池装着手段と、上記筐体に設けられ上記用紙を強制排出するように形成され、上記電池装着手段に電池が装着されたときは、少なくとも一部が該装着された電池で遮蔽されるような位置に形成された強制排出口を設けたことを特徴とするプリンタ装置。
【０００８】
（２）上記（１）に記載されたプリンタ装置であって、上記強制排出口には、前記用紙の端部が前記用紙を摘出可能に露出するように形成された凹部が形成されていることを特徴とする。
【０００９】
（３）上記（１）に記載されたプリンタ装置であって、前記用紙供給手段は上記筐体の前面に設けられ、前記電池装着手段は該筐体の背面に設けられてなることを特徴とする。
【００１０】
【発明の実施の形態】
図１の（ａ），（ｂ）は本発明の一実施の形態に係る携帯型のプリンタ装置１０を示す上面図及び縦断面図、図２は同プリンタ装置１０の全体構成を示すブロック図、図３は動作フローを示す説明図である。
【００１１】
プリンタ装置１０は、図１の（ａ），（ｂ）に示すように、偏平体状のプリンタ本体２０と、このプリンタ本体２０に着脱自在に設けられた偏平体状の用紙ユニット６０とを備えており、プリンタ本体２０には、用紙ユニット６０を駆動する電池Ｂが取り付けられている。
【００１２】
プリンタ本体２０は、端面２１ａ，２１ｂ、主面２２ａ，２２ｂ、側面２３ａ，２３ｂを有している。端面２１ａには、用紙ユニット６０が挿入される開口部２４が設けられ、端面２１ｂには電池Ｂを着脱可能に装着する接続部（電池装着手段）２５及びプリント用紙Ｐを強制排出するための強制排出口２６が設けられている。なお、強制排出口２６は凹部２６ａが形成されており、この凹部２６ａはプリント用紙Ｐの端部を指先で摘めるような形状となっている。また、主面２２ａには動作モードを表示する表示ＬＣＤ２７及び操作部２８（図２参照）が設けられ、主面２２ｂにはリボンカートリッジＣを交換するための蓋（不図示）が設けられている。また、側面２３ａには着脱メモリＭが装着されるカードスロット３０（図２参照）と、ビデオ出力３１、外部電源入力端子３２、外部入出力端子３３（図２参照）が設けられている。なお、開口部２４には用紙ユニット６０のコネクタ７６に接続されるコネクタ３４（図２参照）が設けられている。
【００１３】
プリンタ本体２０の内部は、プリント用紙Ｐを案内するガイド部４０と、プリント用紙Ｐへの印刷を行う印刷部５０とが形成されている。
【００１４】
ガイド部４０は、開口部２４から強制排出口２６までプリント用紙Ｐを案内する案内路４１と、この案内路４１の途中に設けられ用紙ユニット６０から供給されたプリント用紙Ｐを強制排出口２６側へ向けて搬送する搬送ローラ４２と、この搬送ローラ４２により搬送されてきたプリント用紙Ｐを後述するヘッド５２に押し付けるとともに、強制排出口２６側へ向けて搬送する圧着ローラ４３と、搬送ローラ４２及び圧着ローラ４３を駆動する用紙駆動モータ４４（図２参照）と、プリント用紙Ｐが所定の場所に到達したことを検知する用紙検出センサ４５ａ，４５ｂと、プリント用紙Ｐを後述する通常排出口４８側へ案内するレバー４６とを備えている。
【００１５】
なお、レバー４６は案内孔４７と通常排出口４８との間に設けられたヒンジ４６ａと、案内路４１に配置されヒンジ４６ａに揺動自在に設けられたレバー本体４６ｂとを備えており、レバー本体４６ｂはコイルバネ（不図示）により図２の（ｂ）の下方側に付勢されている。
【００１６】
また、図１の（ｂ）中４７は後述する供給口７０への案内孔、４８は蓋部６６上への通常排出口を示している。
【００１７】
印刷部５０は、着脱自在のリボンカートリッジＣを収容するカートリッジ収納室５１と、リボンカートリッジＣのリボンＲに熱を加えてプリント用紙Ｐに転写するヘッド５２と、このヘッド５２を上述した圧着ローラ４３側とこの圧着ローラ４３から離間した位置（図１中５２′）との間を揺動自在に支持するヘッドロード機構５３と、リボンカートリッジＣのリボンＲを駆動するリボン駆動部５４（図２参照）とを備えている。なお、ヘッド５２は圧着ローラ４３に対向配置されている。
【００１８】
用紙ユニット６０は、ハウジング６１を備えている。ハウジング６１は主面６２ａ，６２ｂ、端面６３ａ，６３ｂ、側面６４ａ，６４ｂを備えている。このハウジング６１内には印刷前のプリント用紙Ｐを積み重ねた状態で収納する供給用紙収納室６５が設けられている。
【００１９】
主面６２ａには、供給用紙収納室６５へ印刷前のプリント用紙Ｐを入れるための蓋６６が設けられている。
【００２０】
端面６３ａには、供給用紙収納室６５からプリンタ本体２０側へプリント用紙Ｐを供給する供給口７０が設けられている。
【００２１】
また、供給用紙収納室６５には、供給口７０にプリント用紙Ｐを１枚ずつ供給する供給ローラ７３と、この供給ローラ７３を駆動する用紙駆動モータ７４（図２参照）と、供給用紙収納室６５内のプリント用紙Ｐの有無を検知する用紙検出センサ７５と、プリンタ本体２０のコネクタ３４との接続に供されるコネクタ７６（図２参照）とを備えている。
【００２２】
図２はプリンタ装置１０の全体の構成を示すブロック図である。図２中１００は、プリンタ装置１０全体を制御するシスコンを示している。
【００２３】
シスコン１００には、表示ＬＣＤ２７と、操作部２８と、電源部１０１と、用紙駆動モータ４４と、用紙検出センサ４５ａ，４５ｂと、ヘッドロード機構５３と、リボンカートリッジＣを駆動するリボン駆動部５４と、コネクタ３４とが接続されている。
【００２４】
また、電源部１０１には、電池Ｂと外部電源入力端子３２とが接続されている。用紙ユニット６０のコネクタ７６には、用紙駆動モータ７４と用紙検出センサ７５とが接続されている。
【００２５】
さらに、画像データを格納する内蔵メモリ１１０、画像データを処理する画像処理部１１１、圧縮された画像データを伸長する画像伸長回路１１２、画像データから印刷画像を生成する印刷画像生成回路１１３、着脱メモリＭが装着されたカードスロット３０と接続されたＩ／Ｆ１１４と、外部入出力端子３３に接続された外部Ｉ／Ｆ１１５と、ビデオ出力端子３２に接続された表示回路１１６と、ヘッド５２を駆動するヘッド駆動回路１１７がシスコン１００を介して相互に接続されている。
【００２６】
このように構成されたプリンタ装置１０では、図３に示す動作フローにしたがって、プリント用紙Ｐへの印刷を行う。
【００２７】
予め、用紙ユニット６０の供給用紙収納室６５にプリント用紙Ｐを収納し、プリンタ本体２０の開口部２４に挿入して装着する。また、リボンカートリッジＣをカートリッジ収納室５１に取り付ける。
【００２８】
次に、操作部２８を操作し、シスコン１００に印刷スタート命令（ＳＴ１）を送る。ここで、用紙検出センサ７５により供給用紙収納室６５内のプリント用紙Ｐの有無が判定され（ＳＴ２）、プリント用紙Ｐを検出しない場合には、用紙無警告が表示ＬＣＤ２７に表示される（ＳＴ３）。一方、プリント用紙Ｐを検出した場合には、用紙駆動モータ７４により供給ローラ７３が作動し、プリント用紙Ｐを供給口７０からプリンタ本体２０の案内孔４７を通して案内路４１へ供給する（ＳＴ４）。
【００２９】
ガイド部４０では用紙検出センサ４５ａによりプリント用紙Ｐの有無が判定される（ＳＴ５）。プリント用紙Ｐを検出しない場合には、異常処理が表示ＬＣＤ２７に表示される（ＳＴ６）。一方、プリント用紙Ｐを検出した場合には、ヘッドロード機構５３によりヘッド５２を圧着ローラ４３側に移動させるとともに、用紙駆動モータ４４により搬送ローラ４２を駆動し、プリント用紙Ｐをヘッド５２と圧着ローラ４３との間に送る（ＳＴ７）。
【００３０】
一方、着脱メモリＭに記憶された画像データ又は外部入出力端子３３からの画像データをＩ／Ｆ１１４又は外部Ｉ／Ｆ１１５を介して内蔵メモリ１１０に取り込む。なお、画像データが圧縮されている場合には画像伸長回路１１２により画像を伸長する。そして、画像処理部１１１において適宜画像処理を行った後、印刷画像生成回路１１３にて印刷画像を生成し、ヘッド５２に印刷画像を送る。
【００３１】
圧着ローラ４３はプリント用紙Ｐをヘッド５２に押し付けるとともに、強制排出口２６側に向けてプリント用紙Ｐを搬送する。同時に、ヘッド５２は印刷画像をプリント用紙Ｐに印刷する（ＳＴ８）。
【００３２】
印刷中には常に印刷状態が検知され（ＳＴ９）、異常が発生した場合には、警告が表示される（ＳＴ１０）。そして、ヘッドロード機構５３によりヘッド５２のロードが解除される（ＳＴ１１）。次に、圧着ローラ４３を図１中矢印Ｒ方向に回転させ、プリント用紙Ｐを図１の（ｂ）中矢印α方向に搬送し強制排出口２６から排出する排出駆動が行われる（ＳＴ１２）。
【００３３】
このとき、用紙検出センサ４５ｂによりプリント用紙Ｐの有無が検出される（ＳＴ１３）。プリント用紙Ｐを検出しない場合にはＳＴ１２に戻りさらに用紙排出が行われ、プリント用紙Ｐを検出した場合には圧着ローラ４３の回転を停止し、終了する（ＳＴ１４）。
【００３４】
一方、ＳＴ９において異常を検知しない場合には、印刷終了か否かを判断し（ＳＴ２０）、終了していない場合にはＳＴ８に戻る。印刷が終了した場合には、終了する（ＳＴ１４）。
【００３５】
印刷が終った時点で、用紙駆動モータ４４を逆転させ、プリント用紙Ｐを図１の（ｂ）中矢印β方向に搬送する。このとき、プリント用紙Ｐはレバー本体４６の図中上側に案内され、通常排出口４８を介して蓋部６６の上に載置される。
【００３６】
上述したように本実施の形態に係るプリンタ装置１０においては、何らかの理由でガイド部４０内でプリント用紙Ｐが詰まった場合には、強制排出口２６から外部にプリント用紙Ｐを排出することが可能であるとともに、この強制排出口２６を電池Ｂの装着面に設けたので、プリンタ本体２０を小型化することができ、携帯性を向上させることができる。
【００３７】
また、強制排出口２６には凹部２６ａを形成しているので、指先でプリント用紙Ｐの端部を摘むことができ、容易に引き出すことができる。
【００３８】
さらに、強制排出口２６や電池Ｂの取付部等の通常は使わない部分は背面側に集めたので、プリンタ装置１０を小型化しても通常の使い勝手を損ねることがない。
【００３９】
なお、本発明は上記実施の形態に限定されるものではなく、本発明の要旨を逸脱しない範囲で種々変形実施可能であるのは勿論である。
【００４０】
【発明の効果】
本発明によれば、何らかの理由で用紙が詰まった場合には、強制排出口から外部に用紙を排出することが可能であるとともに、この強制排出口を電池の装着面に設けたので、装置本体を小型化することができ、携帯性を向上させることができる。
【００４１】
また、強制排出口には凹部を形成しているので、指先で用紙の端部を摘むことができ、容易に引き出すことができる。
【００４２】
さらに、強制排出口や電池の取付部等の通常は使わない部分は背面側に集めたので、装置を小型化しても通常の使い勝手を損ねることがない。
【図面の簡単な説明】
【図１】本発明の一実施の形態を示す携帯型のプリンタ装置を示す図であって、（ａ）は平面図、（ｂ）は縦断面図。
【図２】同プリンタ装置の構成を示すブロック図。
【図３】同プリンタ装置の動作フローを示す説明図。
【符号の説明】
１０…プリンタ装置
２０…プリンタ本体（筐体）
２５…接続部
２６…強制排出口
２６ａ…凹部
４０…ガイド部
４８…通常排出口
５０…印刷部
６０…用紙ユニット
１００…シスコン
Ｂ…電池
【図１】
0004327937.tif 000002
【図２】
0004327937.tif 000003
【図３】
0004327937.tif 000004